【事件の表示】
　特願２０１８−５０４１６６「脈管内装置で使用するためのインラインケーブルを備える側方装填式コネクタ並びに関連するシステム及び方法」拒絶査定不服審判事件〔平成２９年　２月　９日国際公開、ＷＯ２０１７／０２１８３４、平成３０年１０月　４日国内公表、特表２０１８−５２８８０２、請求項の数（１５）〕について、次のとおり審決する。
【結　論】
　原査定を取り消す。
　本願の発明は、特許すべきものとする。
【理　由】
第１　手続の経緯
　本願は、２０１６年（平成２８年）７月２８日（パリ条約による優先権主張外国庁受理　２０１５年７月３１日　アメリカ合衆国）を国際出願日とする出願であって、令和元年５月２７日に手続補正書が提出され、同年７月１日付けで拒絶理由が通知され、同年１０月１日に意見書及び手続補正書が提出されたが、同年１１月１２日付けで拒絶査定（原査定）がされたところ、これに対し、令和２年３月１７日に拒絶査定不服審判の請求がなされ、それと同時に手続補正がなされ、その後、当審により同年９月２５日付けで拒絶理由（以下「当審拒絶理由」という。）が通知され、同年１２月２１日に意見書及び手続補正書が提出されたものである。
第２　本願発明
　本願の請求項１ないし１５に係る発明（以下、それぞれ「本願発明１」ないし「本願発明１５」という。）は、令和２年１２月２１日にされた手続補正で補正された特許請求の範囲の請求項１ないし１５に記載された事項により特定される発明であり、本願発明１及び７は以下のとおりの発明である。
（本願発明１）
「　　【請求項１】
　　近位部分及び遠位部分を有する、可撓性の細長い部材と、
　　前記可撓性の細長い部材の前記遠位部分に固定された少なくとも１つの電子部品と、
　　前記可撓性の細長い部材の前記近位部分に固定された少なくとも１つの電気コネクタであって、前記可撓性の細長い部材の前記遠位部分に固定された前記少なくとも１つの電子部品に電気的に結合された、前記少なくとも１つの電気コネクタとを有する、
　脈管内装置と、
　前記可撓性の細長い部材の前記近位部分へ結合するためのコネクタであって、
　　凹部及び第１の開口を含む第１の接続ピースと、
　　第２の開口を含み、開放位置と閉鎖位置との間で前記第１の接続ピースに対して平行移動可能である第２の接続ピースであって、前記閉鎖位置は前記第２の接続ピースにより前記凹部が閉鎖される位置であり、前記開放位置は前記凹部が前記第２の接続ピースから開放される位置である、前記第２の接続ピースと、
　　前記脈管内装置の前記少なくとも１つの電気コネクタとインターフェイスする、前記第２の接続ピースに固定された少なくとも１つの電気接点とを有する、
　前記コネクタとを備え、
　前記開放位置において、前記第１の開口と前記凹部との間に前記第２の開口があるように前記第１の接続ピースの前記第１の開口が前記第２の接続ピースの前記第２の開口と少なくとも部分的に位置合わせされて前記凹部が開放されることにより、前記脈管内装置が前記凹部に受け入れられて、前記第１の接続ピースの前記凹部中への前記脈管内装置の前記少なくとも１つの電気コネクタの挿入を容易にし、
　前記閉鎖位置において、前記第２の接続ピースが平行移動して前記凹部を閉鎖したとき、前記第２の接続ピースに固定された前記少なくとも１つの電気接点が、前記凹部中へ挿入された前記脈管内装置の前記少なくとも１つの電気コネクタに電気的に結合され、通信ケーブルが、前記コネクタから、前記脈管内装置とは逆方向に、前記脈管内装置の長手方向軸と同軸又は平行に延びる、システム。」
（本願発明７）
「　　【請求項７】
　凹部及び第１の開口を含む第１の接続ピースと、
　第２の開口を含み、開放位置と閉鎖位置との間で前記第１の接続ピースに対して平行移動可能である第２の接続ピースであって、前記閉鎖位置は前記第２の接続ピースにより前記凹部が閉鎖される位置であり、前記開放位置は前記凹部が前記第２の接続ピースから開放される位置である、前記第２の接続ピースと、
　脈管内装置の少なくとも１つの電気コネクタとインターフェイスする、前記第２の接続ピースに固定された少なくとも１つの電気接点とを含み、
　前記開放位置において、前記第１の開口と前記凹部との間に前記第２の開口があるように前記第１の接続ピースの前記第１の開口が前記第２の接続ピースの前記第２の開口と少なくとも部分的に位置合わせされて前記凹部が開放されることにより、前記脈管内装置が前記凹部に受け入れられて、前記第１の接続ピースの前記凹部中への前記脈管内装置の前記少なくとも１つの電気コネクタの挿入を容易にし、
　前記閉鎖位置において、前記第２の接続ピースが平行移動して前記凹部を閉鎖したとき、前記第２の接続ピースに固定された前記少なくとも１つの電気接点が、前記凹部中へ挿入された前記脈管内装置の前記少なくとも１つの電気コネクタに電気的に結合され、通信ケーブルが、前記コネクタから、前記脈管内装置とは逆方向に、前記脈管内装置の長手方向軸と同軸又は平行に延びる、脈管内システム用のコネクタ。」
　なお、本願発明２ないし６及び８ないし１５の概要は以下のとおりである。
　本願発明２ないし６及び１２ないし１４は、本願発明１を減縮した発明である。
　本願発明８ないし１１及び１５は、本願発明７を減縮した発明である。
第３　引用文献、引用発明等
１　原査定の拒絶の理由に引用された、本願の優先日前に電気通信回線を通じて公衆に利用可能となった文献である国際公開第２０１４／００５００７号（以下「引用文献１」という。）には、以下の記載がある（下線は当審において付加した。）。
（引１−ア）第１頁５〜９行
「TECHNICAL FIELD
　The present disclosure relates to intravascular devices, systems, and methods. In some embodiments, the intravascular devices are guidewires that include one or more electronic components.」
（和訳：技術分野
　本開示は、脈管内の装置、システム及び方法に関する。幾つかの実施形態において、脈管内の装置は、１以上の電子的構成要素を含むガイドワイヤである。）
（引１−イ）第１０頁７行〜第１２頁２４行
「　Referring now to Fig. 1, shown therein is an intravascular system 100 according to an embodiment of the present disclosure. In that regard, the intravascular system includes an intravascular device 102 and a connector 104. Referring now to Fig. 2, a side view of the intravascular device 102 is provided. As shown, the intravascular device 102 includes a flexible elongate member 106 having a distal portion 107 adjacent a distal end 108 and a proximal portion 109 adjacent a proximal end 110. A component 112 is positioned within the distal portion 107 of the flexible elongate member 106 proximal of the distal tip 108. Generally, the component 112 is representative of one or more electronic, optical, or electro- optical components. In that regard, the component 112 is a pressure sensor, a temperature sensor, an imaging element, an optical fiber, an ultrasound transducer, a reflector, a mirror, a prism, an ablation element, an rf electrode, a conductor, and/or combinations thereof. The specific type of component or combination of components can be selected based on an intended use of the intravascular device. In some instances, the component 112 is positioned less than 10 cm, less than 5, or less than 3 cm from the distal tip 108. In some instances, the component 112 is positioned within a housing of the intravascular device 102. In that regard, the housing is a separate component secured to the flexible elongate member 106 in some instances. In other instances, the housing is integrally formed as a part of the flexible elongate member 106.
　The intravascular device 102 also includes a connection portion 114 adjacent the proximal portion 109 of the device. In that regard, the connection portion 114 is spaced from the proximal end 110 of the flexible elongate member 106 by a distance 116. Generally, the distance 116 is between 0% and 50% of the total length of the flexible elongate member 106. While the total length of the flexible elongate member can be any length, in some embodiments the total length is between about 1300 mm and about 4000 mm, with some specific embodiments have a length of 1400 mm, 1900 mm, and 3000 mm. Accordingly, in some instances the connection portion 114 is positioned at the proximal end 110. In that regard, Fig. 3 illustrates an embodiment of an intravascular device 120 where the connection portion 114 is positioned at the proximal end 110. In other instances, the connection portion 114 is spaced from the proximal end 110. For example, in some instances the connection portion 114 is spaced from the proximal end 110 between about 0 mm and about 1400 mm. In some specific embodiments, the connection portion 114 is spaced from the proximal end by a distance of 0 mm, 300 mm, and 1400 mm.
　The connection portion 114 is configured to facilitate communication between the intravascular device 102, 120 and another device. More specifically, in some embodiments the connection portion 114 is configured to facilitate communication of data obtained by the component 112 to another device, such as a computing device or processor. Accordingly, in some embodiments the connection portion 114 is an electrical connector. In such instances, the connection portion 114 is configured to provide an electrical connection to one or more electrical conductors that extend along the length of the flexible elongate member 102 and are electrically coupled to the component 112. In some instances, the connection portion 114 includes one or more electrical connectors as described in U.S. Patent Application No. 61/665,697, titled INTRAVASCULAR DEVICES, SYSTEMS, AND METHODS, filed June 28, 2012, which is hereby incorporated by reference in its entirety. In other embodiments, the connection portion 114 includes an optical connector. In such instances, the connection portion 114 provides an optical connection to one or more optical communication pathways (e.g., fiber optic cable) that extend along the length of the flexible elongate member 106 and are optically coupled to the component 112. Further, in some embodiments the connection portion 114 provides both electrical and optical connections to both electrical conductor(s) and optical communication pathway(s) coupled to the component 112. In that regard, it should again be noted that component 112 is comprised of a plurality of elements in some instances. In some instances, the connection portion 114 is configured to provide a physical connection to another device, either directly or indirectly. In other instances, the connection portion 114 is configured to facilitate wireless communication between the intravascular device 102 and another device. Generally, any current or future developed wireless protocol(s) may be utilized. In yet other instances, the connection portion 114 facilitates both physical and wireless connection to another device.
　As noted above, in some instances the connection portion 114 provides a connection between the component 112 of the intravascular device 102, 120 and an external device. Accordingly, in some embodiments one or more electrical conductors, one or more optical pathways, and/or combinations thereof extend along the length of the flexible elongate member 106 between the connection portion 114 and the component 112 to facilitate communication between the connection portion 114 and the component 112. Generally, any number of electrical conductors, optical pathways, and/or combinations thereof can extend along the length of the flexible elongate member 106 between the connection portion 114 and the component 112. In some instances, between one and ten electrical conductors and/or optical pathways extend along the length of the flexible elongate member 106 between the connection portion 114 and the component 112. For the sake of clarity and simplicity, the embodiments of the present disclosure described below include three electrical conductors and, therefore, the connection portion 114 is described as having three separate electrical connections corresponding to the three electrical conductors.
　For example, as shown in Fig. 4, in some instances the connection portion 114 includes conductive portions 122, 124, and 126 that are separated from one another and the main body of the flexible elongate member 106 by insulating portions 128, 130, 132, and 134. In that regard, the conductive portions 122, 124, and 126 are formed of a conductive material and are portions of a hypotube, a coil, and/or combinations thereof in some instances. It is understood that the total number of communication pathways and/or the number of electrical conductors and/or optical pathways is different in other embodiments and, therefore, the number of conductive portions (or optical connectors) included in connection portion is different as well. More specifically, the number of communication pathways and the number of electrical conductors and optical pathways extending along the length of the flexible elongate member 106 is determined by the desired functionality of the component 112 and the corresponding elements that define component 112 to provide such functionality. As a result, the number and type of connections provided by connection portion 114 are likewise determined by the desired functionality of the component 112, the corresponding elements that define component 112 to provide such functionality, and the communication needs for such elements.」
（和訳：　以下、図１を参照されたい。該図では、本開示の一実施形態に従った脈管内のシステム１００を示す。こうした点に関して、脈管内のシステムは、脈管内の装置１０２及びコネクタ１０４を含む。以下、図２を参照されたい。脈管内の装置１０２の側面図が示されている。図に示すように、脈管内の装置１０２は、可撓性の細長い部材１０６を有し、該部材は、遠位端１０８に隣接した遠位部１０７と、近位端１１０に隣接した近位部１０９とを有する。構成要素１１２は、遠位部の先端１０８近くの可撓性の細長い部材１０６の遠位部１０７内に配置される。概して、構成要素１１２は、１以上の電子的、光学的、又は電気−光学的構成要素を表す。こうした点に関して、構成要素１１２は、圧力センサ、温度センサ、撮像素子、光ファイバー、超音波トランスデューサ、反射器、ミラー、プリズム、アブレーション素子、ＲＦ電極、導体、及び／又はこれらの組み合わせである。特定の種類の構成要素又は構成要素の組合せについては、脈管内の装置の使用意図に基づいて選択することができる。幾つかの例において、構成要素１１２は、遠位部の先端１０８から１０ｃｍ未満、５未満又は３ｃｍ未満に位置する。幾つかの例において、構成要素１１２は、脈管内の装置１０２のハウジング内に位置する。こうした点に関して、ハウジングは、幾つかの例において、可撓性の細長い部材１０６に固定された別の構成要素である。他の例において、ハウジングは、可撓性の細長い部材１０６の一部として一体的に形成される。
　また、脈管内の装置１０２は、装置の近位部１０９に隣接した接続部１１４を含む。こうした点に関して、接続部１１４は、可撓性の細長い部材１０６の近位端１１０から、ある距離１１６でもって離隔している。一般的に、距離１１６は、可撓性の細長い部材１０６の全長の０％〜５０％である。可撓性の細長い部材の全長は、任意の長さであってもよいが、幾つかの実施形態において、全長は、約１３００ｍｍ〜約４０００ｍｍであり、幾つかの特定の実施形態では、長さが１４００ｍｍ、１９００ｍｍ及び３０００ｍｍのうちのいずれかの長さである。従って、幾つかの例において、接続部１１４は、近位端１１０に位置する。こうした点に関して、図３は、接続部１１４が近位端１１０に位置する脈管内の装置１２０の実施形態を示す。他の例において、接続部１１４が、近位端１１０から離れている。例えば、幾つかの例において、接続部１１４は、近位端１１０から、約０ｍｍ〜約１４００ｍｍ離れている。幾つかの特定の実施形態において、接続部１１４は、近位端から、０ｍｍ、３００ｍｍ及び１４００ｍｍのうちいずれか１つの距離だけ離れている。
　接続部１１４は、脈管内の装置１０２、１２０及び他の装置間の通信を促進するように設計される。より具体的には、幾つかの実施形態において、接続部１１４は、構成要素１１２によって得られたデータを、別の装置、例えばコンピューティング・デバイス又はプロセッサに送る通信を促進するように設計される。したがって、幾つかの実施形態において、接続部１１４は、電気的なコネクタである。こうした例において、接続部１１４は、可撓性の細長い部材１０２の長さ方向に沿って延在し、構成要素１１２に電気的に結合している１以上の電気的な導体に電気的な接続を提供するように設計されている。幾つかの例において、接続部１１４は、２０１２年６月２８日に出願された米国特許出願番号６１／６６５，６９７、発明の名称「ＩＮＴＲＡＶＡＳＣＵＬＡＲ　ＤＥＶＩＣＥＳ，ＳＹＳＴＥＭＳ，ＡＮＤ　ＭＥＴＨＯＤＳ」に記載された１以上の電気的なコネクタを含む。該文献を、参照により全体を本明細書に組み込む。他の実施形態では、接続部１１４は、光学的コネクタを含む。こうした例において、接続部１１４は、可撓性の細長い部材１０６の長さ方向に沿って延在し、構成要素１１２に光学的に結合している１以上の光学的通信経路（例えば、光ファイバーケーブル）に光学的接続を提供する。更に、幾つかの実施形態において、接続部１１４は、電気的及び光学的接続の両方を、構成要素１１２に結合された電気的導体及び光学的通信経路の両方に提供する。こうした点に関して、構成要素１１２は、幾つかの例において、複数の要素を含む点に再度留意されたい。幾つかの例において、接続部１１４は、直接的に又は間接的にのいずれかで、別の装置への物理的な接続を提供するように設計される。他の例において、接続部１１４は、脈管内の装置１０２と別の装置との間の無線通信を促進するように設計される。概して、現時点の又は将来的に開発される無線プロトコルを利用することができる。更に他の例において、接続部１１４は、別の装置への物理的接続及び無線接続の両方を促進する。
　上述したように、幾つかの例において、接続部１１４は、脈管内の装置１０２、１２０の構成要素１１２と外部の装置との間の接続を提供する。従って、幾つかの実施形態において、１以上の電気的な導体、１以上の光学的経路、及び／又はこれらの組み合わせは、可撓性の細長い部材１０６の長さ方向に沿って、接続部１１４と構成要素１１２との間に延在し、接続部１１４と構成要素１１２との間の通信を促進する。概して、任意の数の電気的な導体、光学的経路、及び／又はこれらの組み合わせは、可撓性の細長い部材１０６の長さ方向に沿って、接続部１１４と構成要素１１２との間に延在する。幾つかの例において、１〜１０の電気的な導体及び／又は光学的経路が、可撓性の細長い部材１０６の長さ方向に沿って、接続部１１４と構成要素１１２との間に延在する。明確かつ簡潔にするため、後述する本開示の実施形態は、３つの電気的な導体を含む。従って、接続部１１４は、３つの電気的な導体に対応する３つの別々の電気的な接続を有するものとして説明する。
　例えば、図４に示すように、幾つかの例において、接続部１１４は、導電性の部分１２２、１２４及び１２６を含み、これらは、絶縁性の部分１２８、１３０、１３２及び１３４により、互いにかつ可撓性の細長い部材１０６の本体から離れている。こうした点に関して、幾つかの例において、導電性の部分１２２、１２４及び１２６は、導電性材料から形成され、ハイポチューブ、コイル、及び／又はこれらの組み合わせのうちの一部である。通信経路の総数、並びに／又は電気的な導体及び／若しくは光学的経路の数は、他の実施形態では異なってもよく、したがって、接続部に含まれる導電性の部分（又は光学的コネクタ）の数も同様に異なることを理解されたい。より具体的には、可撓性の細長い部材１０６の長さ方向に沿って延在する通信経路の数並びに電気的な導体及び光学的経路の数は、構成要素１１２の所望の機能性及び該機能性を提供する構成要素１１２を規定する対応する要素によって決定される。その結果、接続部１１４が提供する接続の数及び種類も、同様に、構成要素１１２の所望の機能性、該機能を提供する構成要素１１２を規定する対応する要素、及びこれらの要素に必要な通信によって決定される。）
（引１−ウ）第２６頁２９〜第３２頁４行
「　Referring now to Figs. 32-47, shown therein is a connector 300 according to another embodiment of the present disclosure. In that regard, Fig. 32 is a diagrammatic perspective front view of the connector 300; Fig. 33 is a diagrammatic perspective rear view of the connector 300; Fig. 34 is a diagrammatic top view of the connector 300; Fig. 35 is a diagrammatic top view of the connector 300 similar to that of Fig. 34, but with the inner components of the connector 300 illustrated; Fig. 36 is a diagrammatic bottom view of the connector 300; Fig. 37 is a diagrammatic bottom view of the connector 300 similar to that of Fig. 36, but with the inner components of the connector 300 illustrated; Fig. 38 is a diagrammatic side view of the connector 300; Fig. 39 is a diagrammatic side view of the connector 300 similar to that of Fig. 38, but with inner components of the connector 300 illustrated; Fig. 40 is a diagrammatic side view of the connector 300 similar to that of Fig. 38, but from the opposite side of the connector 300; Fig. 41 is a diagrammatic side view of the connector 300 similar to that of Fig. 40, but with inner components of the connector 300 illustrated; Fig. 42 is a diagrammatic rear view of the connector 300; Fig. 43 is a diagrammatic rear view(当審注：コネクタ３００の正面からの斜視図である図３２及び背面から見た斜視図である図３３を参照するに、「rear view」は「front view」の誤記と認める。) of the connector similar to that of Fig. 42, but with inner components of the connector illustrated; Fig. 44 is a diagrammatic top view of the connector 300 shown in an open position and receiving an intravascular device; Fig. 45 is a diagrammatic side view of the connector 300 in the open position and receiving the intravascular device; Fig. 46 is a diagrammatic perspective front view（当審注：図４６は、正面からの斜視図ではなく、上面図を示している。） of the connector 300 in a closed position and receiving an intravascular device; and Fig. 47 is a diagrammatic side view of the connector 300 in the closed position and receiving the intravascular device.
　As shown in Fig. 32, the connector 300 includes an upper component 302 and a lower component 304. As discussed below, the upper and lower components 302 and 304 are slidable with respect to one another to facilitate insertion of an intravascular device into the connector 300 and subsequent engagement of the connector with the received intravascular device that results in one or more electrical connections between the intravascular device and the connector. In that regard, the upper component 302 includes electrical contacts 314, 316, 318, 320, and 322, as shown in Figs. 35-37, 39, 41, and 44-47. The electrical contacts 314, 316, 318, 320, and 322 are configured to engage corresponding electrical contacts of an intravascular device, such as conductive portions 122, 124, and 126 of connection portion 114 of the intravascular device 102. For example, in the illustrated embodiment electrical contact 314 is configured to be electrically coupled to conductive portion 122, electrical contacts 316 and 318 are configured to be electrically coupled to conductive portion 124, and electrical contacts 320 and 322 are configured to be electrically coupled to conductive portion 126. It is understood, however, that any arrangement of electrical connection between the connector 200 and an intravascular device may be utilized. In that regard, the connector 200 may include any number of electrical contacts (e.g., 1, 2, 3, 4, 5, 6, 7, 8, or more electrical contacts), may include a single contact for each of one or more conductive portions of the intravascular device, may include multiple contacts for each of one or more conductive portions of the intravascular device, and/or combinations thereof. Further, in the illustrated embodiment the electrical contacts 314, 316, 318, 320, and 322 are split, open-comb electrical contacts. In that regard, each of the electrical contacts 314, 316, 318, 320, and 322 is configured to receive a conductive portion of an intravascular device therein such that some of the teeth of the open-comb electrical contact will be positioned above the conductive portion and others of the teeth of the open-comb electrical contact will be positioned below the conductive portion. This arrangement provides a secure and reliable electrical connection between the electrical contact of the connector 300 and the corresponding conductive portion of the intravascular device. Further, as discussed below with respect to Figs. 44-47, the open- comb electrical contacts are particularly well-suited to facilitate proper electrical connection between the connector 300 and an intravascular device positioned within the lower component 304 when the upper component 302 is translated relative to the lower component 304 from the open position towards the closed position. However, any appropriately sized electrical contacts can be utilized, including a single contact or a plurality of contacts.
　Similar to the connectors 104, 170, and 200 discussed above, the connector 300 is configured to interface with a connection portion of an intravascular device to facilitate communication between the intravascular device and a separate component. In particular, the connector 300 is configured to facilitate communication between one or more electronic components of the intravascular device (that are electrically coupled to the connection portion) and a separate component, such as a processing system associated with the one or more electronic components. To that end, the connector 300 includes a communication cable (not shown) that is configured to carry signals between the connector 300 and the separate component. In particular, the cable is configured to carry electrical signals and includes one or more electrical conductors extending along its length to facilitate such electrical communication. However, the type of communication cable utilized is dependent on the type of electronic, optical, and/or electro-optical components that are incorporated into the intravascular device. In that regard, the communication cable may include one or more of an electrical conductor, an optical fiber, and/or combinations thereof. In some instances, the cable is configured to be plugged into an interface of a processing system. In that regard, the interface is a patient interface module (PIM) in some instances.
　The upper and lower components 302 and 304 of the connector 300 are configured to allow the cable to extend from the couplings between the electrical conductors of the cable to the electrical contacts 314, 316, 318, 320, and 322 out through an opening 330 in a side of the lower component 304, as shown in Figs. 40 and 41 for example. The arrangement of the upper and lower components 302 and 304, including opening 330, allows the upper component 302 to translate with respect to the lower component 304 without damaging the electrical couplings between the electrical conductors of the cable and the electrical contacts 314, 316, 318, 320, and 322 of the upper component and without creating unwanted kinking/bending of the cable. While in the illustrated embodiment, the electrical contacts 314, 316, 318, 320, and 322 are fixedly secured to the upper component 302, in other embodiments, the electrical contacts are fixedly secured to the lower component 304.
　As best shown in Figs. 35, 37, 39, 41, 45, and 47, the upper component 302 includes a structure 324 that has openings 326 and 328 extending therethrough. Further, to facilitate passage of the cable out of the connector 300, the upper component 302（当審注：図３３、４０、４１、４５及び４７の記載から、「the upper component 302」は「the lower component 304」の誤記と認める。） includes an opening 330, as shown, for example, in Figs. 33, 35, 37, 40, 41 , and 44-47. In the illustrated embodiment, the opening 330 extends through an end or side of the connector 300. Accordingly, this configuration allows the cable to come out of the connector 300 in the same direction as an intravascular device received by the connector. This is beneficial in some instances where the user (e.g., surgeon) wants to leave the connector 300 coupled to the intravascular device while performing a procedure. In other embodiments, the opening 330 is positioned elsewhere around the perimeter of the connector 300. As best shown in Figs. 38- 41, 45, and 47, the lower component 304 includes a recess 332 that is sized and shaped to receive an intravascular device. In particular, the recess 332 is sized and shaped to receive a connection portion of the intravascular device. In the illustrated embodiment, the width of the recess 332 tapers from wider to narrower as the recess extends into the lower component 304. In that regard, the recess 332 includes a surface 334 and an opposing surface 336 that generally define the recess 332. The recess 332 is configured to maintain the connection portion of the intravascular device in position within the connector 300. In particular, the surface 336 is configured to maintain the intravascular device within the recess 332 as the upper component 302 is advanced relative to the lower component 304 and into engagement with the intravascular device. Accordingly, in some embodiments the surface 336 extends generally perpendicular to the longitudinal axis of the lower component to prevent the intravascular device from sliding up surface 336 and out of the recess 332 as the electrical contacts of the upper component 302 are advanced into electrical engagement with the intravascular device. In some particular embodiments, the surface 336 extends at an angle between about 60 degrees and about 120 degrees relative to a longitudinal axis of the lower component 304 (e.g. , a longitudinal axis extending left-to-right in each of Figs. 38-41 , 45, and 47). In other embodiments, the surface 336 extends at an angle outside of this range (either smaller or larger). In the illustrated embodiment of Fig. 45, for example, the surface 336 extends at an angle of about 85 degrees relative to a longitudinal axis of the lower component extending left-to-right in the drawing, while the surface 334 extends at an angle of about 135 degrees relative to the longitudinal axis of the lower component.
　In some embodiments, the recess 332 has discontinuities as it extends across the width of the lower component. For example, as shown in Fig. 44 of the illustrated embodiment, the lower component 304 includes outer portions 338 and 340 that define the outer boundaries of the recess 332. The outer portions 338 and 340 include surfaces 334 and 336 as discussed above. Further, the lower component 304 also includes supports 342, 344, 346, and 348 having recessed portions that are part of recess 332 and are configured to receive the intravascular device. In some embodiments, the recessed portions of the supports 342, 344, 346, and 348 include tapered surfaces similar to surfaces 334 and 336 discussed above. However, in other embodiments the recessed portions comprise only the bottom portion of the recess 332 that is sized and shaped to receive the intravascular device. It is understood that, in other embodiments, the arrangement of the recess 332 as defined by outer portions 338, 340 is similar to that defined by supports 342, 344, 346, and 348 and/or vice versa. In some embodiments, the spacings between the supports 342, 344, 346, and 348 are sized and shaped to allows the electrical contacts 314, 316, 318, 320, and 322 of the upper component 302 to move between the open and closed positions of the connector 300 as discussed below.
　Referring again to Figs. 35, 37, 39, 41, 45, and 47, to guide the movement of the upper component 302 with respect to the lower component 304, the openings 326 and 328 in the structure 324 of the upper component 302 receive projections or rods 350, 352 of the lower component 304. In that regard, as shown, the rods 350, 352 are sized and shaped to be slidably received within the openings 326, 328, respectively, such that the upper component 302 can translate along the length of the rods 350, 352. In some instances, the opposing ends of the rods 350, 352 include one or more structure features (e.g., projection, wall, etc.) to serve as a stop to limit the travel of the upper component 302 relative to the lower component 304. In some embodiments, the connector 300 includes a locking mechanism (e.g., projection and detent arrangement) to hold the connector in the closed position. Further, in some embodiments the connector 300 includes one or more bias elements (e.g., spring(s)) to urge the connector towards either the open or closed position.
　To help ensure that the connection portion of the intravascular device is properly aligned with the electrical contacts of the connector 300, the upper and/or lower component(s) 302, 304 may include one or more visual markers (active and/or passive) as discussed above with respect to connectors 104, 170, and 200. Further, in the illustrated embodiment, the lower component 304 includes openings 354, 356, 358, 360, and 362 that extend through the lower surface of the lower component in general alignment with the electrical contacts 314, 316, 318, 320, and 322 of the upper component 302 and, therefore, in general alignment with where the conductive portions of the intravascular device should be positioned when received by the connector 300. Accordingly, in some instances a user can look through the opening to confirm proper positioning of the intravascular device within the connector 300, as shown in Fig. 36 for example. In that regard, when intravascular device 102 is utilized with connector 300, conductive portion 120 can be visualized through opening 354, conductive portion 122 can be visualized through at least one of openings 356 and 358, and conductive portion 124 can be visualized through at least one of openings 360 and 362. Also, the openings 354, 356, 358, 360, and 362 facilitate drainage of fluid out of the bottom of the connector 300.
　Referring more specifically to Figs. 44-47, shown therein is a transition of the connector 300 from the open positioned to the closed position. In that regard, the connector 300 is shown in the open position in Figs. 44 and 45. As shown, the connector 300 is configured to receive the intravascular device 102 in a side-loading fashion. More specifically, the recess 332 in the lower component 304 is revealed when the upper component 302 is retracted to the open position such that the intravascular device 102 can be seated within the recess by moving the intravascular device 102 in a direction transverse to its longitudinal axis. To load the intravascular device 102 within the connector 300, the connector 300 may be moved relative to the intravascular device 102, the intravascular device 102 may be moved relative to the connector 300, and/or combinations thereof. With the intravascular device 102 positioned within the recess 332 of the lower component, the upper component 302 is translated with respect to the lower component 304 by sliding along rods 350, 352 to the closed position illustrated in Figs. 46 and 47. In the closed position, the intravascular device 102 is held between the upper and lower components 302 and 304 such that the connector 300 is in electrical communication with the connection portion 114 of the intravascular device. In particular, as the upper component 302 is advanced towards the closed position the split teeth of the open-comb electrical contacts 314, 316, 318, 320, and 322 engage the connection portion 114 of the intravascular device 102. In that regard, the bottom of the recess 332 is positioned relative to the electrical contacts 314, 316, 318, 320, and 322 such that the intravascular device will be aligned with the electrical contacts 314, 316, 318, 320, and 322 in the vertical direction when the intravascular device is seated within the recess. Accordingly, with the intravascular device 102 seated in the recess such that the conductive portions 120, 122, and 124 of the connection portion 114 are aligned both horizontally and vertically with respect to the electrical contacts of the connector 300, advancement of the upper component 302 to the closed position electrically couples the connector 300 to the intravascular device 102.」
（和訳：　図３２〜４７を以下参照されたい。該図では、本開示の別の実施形態に従ったコネクタ３００を示す。こうした点に関して、図３２はコネクタ３００の正面からの斜視図、図３３はコネクタ３００の背面から見た斜視図、図３４はコネクタ３００の上面図、図３５は図３４のものと類似するコネクタ３００の上面図であるが、コネクタ３００の内側構成要素も示しており、図３６はコネクタ３００の底面図であり、図３７は図３６のものと類似するコネクタ３００の底面図であるが、コネクタ３００の内側構成要素も示しており、図３８はコネクタ３００の側面図、図３９は図３８のものと類似するコネクタ３００の側面図であるが、コネクタ３００の内側構成要素も示しており、図４０は図３８のものと類似するコネクタ３００の側面図であるが、コネクタ３００の反対側からのものであり、図４１は図４０ものと類似するコネクタ３００の側面図であるが、コネクタ３００の内側構成要素も示しており、図４２はコネクタ３００の背面図であり、図４３は図４２のものと類似するコネクタの背面図(当審注：コネクタ３００の正面からの斜視図である図３２及び背面から見た斜視図である図３３を参照するに、「背面図」は「正面図」の誤記と認める。)であるが、コネクタの内側構成要素も示しており、図４４は、開口ポジション状態で示され、脈管内の装置を受容しているコネクタ３００の上面図であり、図４５は、開口ポジション状態で示され、脈管内の装置を受容しているコネクタ３００の側面図であり、図４６は、閉口ポジション状態で示され、脈管内の装置を受容しているコネクタ３００の正面からの斜視図（当審注：図４６は、正面からの斜視図ではなく、上面図を示している。）、及び、図４７は、閉口ポジション状態において脈管内の装置を受容しているコネクタ３００の側面図である。
　図３２に示すように、
コネクタ３００は、上部構成要素３０２及び下部構成要素３０４を含む
上部及び下部構成要素３０２及び３０４は、互いに摺動可能であり
上部構成要素３０２は
電気的なコンタクト３１４、３１６、３１８、３２０及び３２２を含む
脈管内の装置１０２の接続部１１４の導電性の部分１２２、１２４及び１２６
に係合するように設計される
電気的なコンタクト３１４、３１６、３１８、３２０及び３２２は、スプリット、オープン・コーム式の電気的なコンタクトである
　上述したコネクタ１０４、１７０及び２００と同様に、コネクタ３００は、脈管内の装置と別の構成要素との間の通信を促進するために、脈管内の装置の接続部とのインターフェースとなるように設計される。特に、コネクタ３００は、脈管内の装置の１以上の電子的構成要素（それらは接続部に電気的に結合されている）と、例えば１以上の電子的構成要素に関連した処理システムのような別の構成要素との間の通信を促進するように設計される。この目的にむけて、
コネクタ３００は、
別の構成要素との間でシグナルを運ぶように設計される通信ケーブル
を含む
　
コネクタ３００の上部及び下部構成要素３０２及び３０４は、ケーブルが、ケーブルの電気的な導体と電気的なコンタクト３１４、３１６、３１８、３２０及び３２２との結合部分から、
下部構成要素３０４の側面の開口部３３０から外部へと延在するように設計され
　図３５、３７、３９、４１、４５及び４７に最も顕著に示されるように、
上部構成要素３０２は構造部３２４を含み、該構造部は、該構造部を通過する開口部３２６及び３２８を有する
上部構成要素３０２
は、開口部３３０を含む
開口部３３０は、コネクタ３００の
側部を通るように延在する
コネクタにより受容された脈管内の装置と同じ方向に、ケーブルがコネクタ３００から出てくることを可能にする
下部構成要素３０４は、脈管内の装置を受容するための形状及びサイズを有する凹部３３２を含む
　幾つかの実施形態において、凹部３３２は、下部構成要素の幅にわたって延在する際に、不連続性を有する。例えば、例示した実施形態の図４４に示すように、下部構成要素３０４は、凹部３３２の外側境界を規定する外側部位３３８及び３４０を含む。外側部位３３８及び３４０は、上述した表面３３４及び３３６を含む。更に、下部構成要素３０４は、凹部を有する支持部３４２、３４４、３４６及び３４８も含み、これらの凹部は凹部３３２の一部であり、脈管内の装置を受容するように設計される。幾つかの実施形態において、支持部３４２、３４４、３４６及び３４８の凹部は、上述した表面３３４及び３３６と同様に先細りした表面を含む。しかし、他の実施形態では、凹部は、凹部３３２の底部のみを備え、これらは、脈管内の装置を受容するための形状及びサイズを有する。他の実施形態では、外側部位３３８、３４０によって規定される凹部３３２の配置は、支持部３４２、３４４、３４６及び３４８によって規定されるものと同様であり、及び／又はその逆もまた然りであることを理解されたい。後述するように、幾つかの実施形態において、支持部３４２、３４４、３４６及び３４８の間のスペースは、上部構成要素３０２の電気的なコンタクト３１４、３１６、３１８、３２０及び３２２がコネクタ３００の開口ポジション及び閉口ポジションの間を動くことを可能にするサイズ及び形状を有する。
　再度、図３５、３７、３９、４１、４５及び４７を参照されたい。
下部構成要素３０４に対する上部構成要素３０２の動きをガイドするために、上部構成要素３０２の構造３２４内の開口部３２６及び３２８は、下部構成要素３０４の突起又は棒材３５０、３５２を受け取る
上部構成要素３０２は、棒材３５０、３５２の長さ方向に沿って動くことができる
コネクタ３００は、コネクタを、開口又は閉口ポジションの何れかに付勢する１以上の
スプリング
を含む
　脈管内の装置の接続部がコネクタ３００の電気的なコンタクトと共に正しく確実に配置されるのに寄与するべく、上部及び／又は下部構成要素３０２、３０４は、コネクタ１０４、１７０及び２００に関して上述したように、１以上の視覚的マーカー（アクティブ及び／又はパッシブ）を含むことができる。更に、例示した実施形態において、下部構成要素３０４は、開口部３５４、３５６、３５８、３６０及び３６２を含み、これらは、概して上部構成要素３０２の電気的なコンタクト３１４、３１６、３１８、３２０及び３２２と整列するように下部構成要素の下部表面を通過するように延在しており、従って、脈管内の装置がコネクタ３００に受容されときに、概して脈管内の装置の導電性の部分が配置されるべき場所に合わせて配置される。したがって、幾つかの例において、例えば図３６に示すように、ユーザーは、開口部を覗いて、コネクタ３００内の脈管内の装置の適切な位置を確認することができる。こうした点に関して、脈管内の装置１０２を、コネクタ３００と共に用いるとき、導電性の部分１２０は開口部３５４を通して視覚化され、導電性の部分１２２は、開口部３５６及び３５８のうち少なくとも１つを通して視覚化され、そして、導電性の部分１２４は、開口部３６０及び３６２のうち少なくとも１つを通して視覚化される。また、開口部３５４、３５６、３５８、３６０及び３６２は、コネクタ３００の底部からの流体の排水ドレナージを促進する。
　より具体的に図４４〜４７を参照されたい。該図では、開口ポジションから閉口ポジションへのコネクタ３００の移動を示す。こうした点に関して、図４４及び４５は、開口ポジションのコネクタ３００を示す。図に示すように、
コネクタ３００は、脈管内の装置１０２を側方ローディング方式で受け取るように設計される
上部構成要素３０２が開口ポジションまで退避したとき、下部構成要素３０４内の凹部３３２が晒される
その結果、脈管内の装置１０２をその長軸に対して横切る方向に動かすことにより、脈管内の装置１０２を凹部内に載置することができる
脈管内の装置１０２が下部構成要素の凹部３３２内に位置した状態で、上部構成要素３０２を、
閉口ポジションまで下部構成要素３０４に対して移動させる
閉口ポジションにおいて、脈管内の装置１０２は上部及び下部構成要素３０２及び３０４の間に維持される
上部構成要素３０２が、閉口ポジションに向かって進むにつれて、オープン・コーム式の電気的なコンタクト３１４、３１６、３１８、３２０及び３２２のスプリットの歯部は、脈管内の装置１０２の接続部１１４に係合する
（引１−エ）Ｆｉｇ．２（図２）
「
　　　　　　　　　　　　　　　　　　　　　　　　　」
（引１−オ）Ｆｉｇ．４（図４）
「
　　　　　　　　　　　　　　　　　　　　　　」
（引１−カ）Ｆｉｇ．３２（図３２）
「
　　　　　　　　　　　　　　　　　　　　　　」
（引１−キ）Ｆｉｇ．４５（図４５）
「
　　　　　　　　　　　　　　　　　　　　　　」
（引１−ク）Ｆｉｇ．４７（図４７）
「
　　　　　　　　　　　　　　　　　　　　　　」
２　引用文献１に記載された発明
（１）上記（引１−ウ）において、「ケーブル」（複数箇所あり）はそれ以前に記載された「通信ケーブル」を表すものと解されることから、以下「通信ケーブル」と記載する。
（２）上記（引１−ウ）において、符号が付されていない「コネクタ」「脈管内の装置」及び「下部構成要素」は、それぞれ「コネクタ３００」、「脈管内の装置１０２」及び「下部構成要素３０４」を表すものと解されることから、以下、それぞれ「コネクタ３００」、「脈管内の装置１０２」及び「下部構成要素３０４」と記載する。
（３）また、上記（引１−ウ）の第３１頁１２行以降の部分において、符号が付されていない「凹部」は、「凹部３３２」を含むものと解されることから、以下「凹部３３２」と記載する。
（４）上記（１）ないし（３）を踏まえると、上記（引１−ア）ないし（引１−ク）の記載から、引用文献１には、
「　互いに摺動可能である上部構成要素３０２及び下部構成要素３０４を含むコネクタ３００であって、
　上部構成要素３０２は、脈管内の装置１０２の接続部１１４の導電性の部分１２２、１２４及び１２６に係合するように設計された、スプリット、オープン・コーム式の電気的なコンタクト３１４、３１６、３１８、３２０及び３２２を含み、
　コネクタ３００は、別の構成要素との間でシグナルを運ぶように設計される通信ケーブルを含み、
　コネクタ３００の上部及び下部構成要素３０２及び３０４は、通信ケーブルが、通信ケーブルの電気的な導体と電気的なコンタクト３１４、３１６、３１８、３２０及び３２２との結合部分から、下部構成要素３０４の側面の開口部３３０から外部へと延在するように設計され、
　下部構成要素３０４は、コネクタ３００の側部を通るように延在する開口部３３０を含み、コネクタ３００により受容された脈管内の装置１０２と同じ方向に、通信ケーブルがコネクタ３００から出てくることを可能にし、
　下部構成要素３０４は、脈管内の装置１０２を受容するための形状及びサイズを有する凹部３３２を含み、
　上部構成要素３０２は構造部３２４を含み、該構造部は、該構造部を通過する開口部３２６及び３２８を有し、下部構成要素３０４に対する上部構成要素３０２の動きをガイドするために、上部構成要素３０２の構造３２４内の開口部３２６及び３２８は、下部構成要素３０４の突起又は棒材３５０、３５２を受け取り、上部構成要素３０２は、棒材３５０、３５２の長さ方向に沿って動くことができ
　コネクタ３００は、コネクタ３００を、開口又は閉口ポジションの何れかに付勢する１以上のスプリングを含み、
　コネクタ３００は、脈管内の装置１０２を側方ローディング方式で受け取るように設計され、
　上部構成要素３０２が開口ポジションまで退避したとき、下部構成要素３０４内の凹部３３２が晒され、その結果、脈管内の装置１０２をその長軸に対して横切る方向に動かすことにより、脈管内の装置１０２を凹部３３２内に載置することができ、
　脈管内の装置１０２が下部構成要素３０４の凹部３３２内に位置した状態で、上部構成要素３０２を閉口ポジションまで下部構成要素３０４に対して移動させ、
　上部構成要素３０２が閉口ポジションに向かって進むにつれて、オープン・コーム式の電気的なコンタクト３１４、３１６、３１８、３２０及び３２２のスプリットの歯部は、脈管内の装置１０２の接続部１１４に係合し、
　閉口ポジションにおいて、脈管内の装置１０２は上部及び下部構成要素３０２及び３０４の間に維持される、
コネクタ３００。」
の発明（以下「引用発明」という。）が記載されていると認められる。
第４　対比・判断
１　本願発明７について
　事案に鑑み、最初に本願発明７について検討する。
（１）本願発明７と引用発明とを対比する。
ア
（ア）引用発明の「下部構成要素３０４」は、本願発明７の「第１の接続ピース」に相当する。
（イ）引用発明の「凹部３３２」は、本願発明７の「凹部」に相当する。
（ウ）引用発明は、「上部構成要素３０２が開口ポジションまで退避したとき、下部構成要素３０４内の凹部３３２が晒され、その結果、脈管内の装置１０２をその長軸に対して横切る方向に動かすことにより、脈管内の装置１０２を凹部３３２内に載置することができ」るものであるから、引用発明の「下部構成要素３０４」における「上部構成要素３０２」側の部分には、「脈管内の装置１０２をその長軸に対して横切る方向に動かすことにより」挿入可能な開口部が形成されているものと認められる。
（エ）上記（ア）ないし（ウ）を踏まえると、引用発明の「脈管内の装置１０２を受容するための形状及びサイズを有する凹部３３２を含」む「下部構成要素３０４」は、本願発明７の「凹部及び第１の開口を含む第１の接続ピース」に相当するといえる。
イ
（ア）引用発明の「上部構成要素３０２」は、本願発明７の「第２の接続ピース」に相当する。
（イ）引用発明の「開口ポジション」及び「閉口ポジション」は、それぞれ本願発明７の「開放位置」及び「閉鎖位置」に相当する。
（ウ）引用発明の「上部構成要素３０２の構造３２４内の開口部３２６及び３２８は、下部構成要素３０４の突起又は棒材３５０、３５２を受け取り、上部構成要素３０２は、棒材３５０、３５２の長さ方向に沿って動くことができ」ることから、引用発明の「互いに摺動可能である上部構成要素３０２及び下部構成要素３０４」の「摺動」は、本願発明７の「平行移動」に相当する。
（エ）引用発明は、「上部構成要素３０２が開口ポジションまで退避したとき、下部構成要素３０４内の凹部３３２が晒され」ることから、「閉口ポジション」においては、「下部構成要素３０４内の凹部３３２」は「上部構成要素３０２」により覆われているものと認められる。
（オ）上記（ア）ないし（エ）を踏まえると、引用発明の「互いに摺動可能である上部構成要素３０２及び下部構成要素３０４」のうちの「上部構成要素３０２」であって、「上部構成要素３０２の構造３２４内の開口部３２６及び３２８は、下部構成要素３０４の突起又は棒材３５０、３５２を受け取り、上部構成要素３０２は、棒材３５０、３５２の長さ方向に沿って動くことができ」、「上部構成要素３０２が開口ポジションまで退避したとき、下部構成要素３０４内の凹部３３２が晒され」、「上部構成要素３０２を閉口ポジションまで下部構成要素３０４に対して移動させ」ることができる「上部構成要素３０２」と、本願発明７の「第２の開口を含み、開放位置と閉鎖位置との間で前記第１の接続ピースに対して平行移動可能である第２の接続ピースであって、前記閉鎖位置は前記第２の接続ピースにより前記凹部が閉鎖される位置であり、前記開放位置は前記凹部が前記第２の接続ピースから開放される位置である、前記第２の接続ピース」とは、「開放位置と閉鎖位置との間で前記第１の接続ピースに対して平行移動可能である第２の接続ピースであって、前記閉鎖位置は前記第２の接続ピースにより前記凹部が閉鎖される位置であり、前記開放位置は前記凹部が前記第２の接続ピースから開放される位置である、前記第２の接続ピース」で共通する。
ウ
（ア）引用発明の「脈管内の装置１０２」は、本願発明７の「脈管内装置」に相当する。
（イ）引用発明の「導電性の部分１２２、１２４及び１２６」は、本願発明７の「少なくとも１つの電気コネクタ」に含まれる。
（ウ）引用発明の「スプリット、オープン・コーム式の電気的なコンタクト３１４、３１６、３１８、３２０及び３２２」は、本願発明７の「少なくとも１つの電気接点」に含まれる。
（エ）上記（ア）ないし（ウ）を踏まえると、引用発明の「上部構成要素３０２は、脈管内の装置１０２の接続部１１４の導電性の部分１２２、１２４及び１２６に係合するように設計された、スプリット、オープン・コーム式の電気的なコンタクト３１４、３１６、３１８、３２０及び３２２を含み」は、本願発明７の「脈管内装置の少なくとも１つの電気コネクタとインターフェイスする、前記第２の接続ピースに固定された少なくとも１つの電気接点とを含み」に相当する。
エ
（ア）引用発明において、「脈管内の装置１０２の接続部１１４の導電性の部分１２２、１２４及び１２６」は、「上部構成要素３０２」に含まれる「スプリット、オープン・コーム式の電気的なコンタクト３１４、３１６、３１８、３２０及び３２２」と「係合する」ものであるから、「脈管内の装置１０２を凹部３３２内に載置する」とき、「脈管内の装置１０２の接続部１１４の導電性の部分１２２、１２４及び１２６」が「脈管内の装置１０２」内に収まるように載置するものと認められる。
（イ）上記（ア）を踏まえると、引用発明の「上部構成要素３０２が開口ポジションまで退避したとき、下部構成要素３０４内の凹部３３２が晒され、その結果、脈管内の装置１０２をその長軸に対して横切る方向に動かすことにより、脈管内の装置１０２を凹部３３２内に載置することができ」と、本願発明７の「前記開放位置において、前記第１の開口と前記凹部との間に前記第２の開口があるように前記第１の接続ピースの前記第１の開口が前記第２の接続ピースの前記第２の開口と少なくとも部分的に位置合わせされて前記凹部が開放されることにより、前記脈管内装置が前記凹部に受け入れられて、前記第１の接続ピースの前記凹部中への前記脈管内装置の前記少なくとも１つの電気コネクタの挿入を容易にし」とは、「前記開放位置において、前記凹部が開放されることにより、前記脈管内装置が前記凹部に受け入れられて、前記第１の接続ピースの前記凹部中への前記脈管内装置の前記少なくとも１つの電気コネクタの挿入を容易にし」で共通する。
オ
（ア）引用発明の「スプリット、オープン・コーム式の電気的なコンタクト３１４、３１６、３１８、３２０及び３２２」は、「脈管内の装置１０２の接続部１１４の導電性の部分１２２、１２４及び１２６に係合するように設計された」ものであるから、引用発明において「オープン・コーム式の電気的なコンタクト３１４、３１６、３１８、３２０及び３２２のスプリットの歯部は、脈管内の装置１０２の接続部１１４に係合」するとき、「オープン・コーム式の電気的なコンタクト３１４、３１６、３１８、３２０及び３２２のスプリットの歯部」は、「脈管内の装置１０２の接続部１１４の導電性の部分１２２、１２４及び１２６に係合する」といえる。
（イ）上記（ア）を踏まえると、引用発明の「上部構成要素３０２が閉口ポジションに向かって進むにつれて、オープン・コーム式の電気的なコンタクト３１４、３１６、３１８、３２０及び３２２のスプリットの歯部は、脈管内の装置１０２の接続部１１４に係合し」は、本願発明７の「前記閉鎖位置において、前記第２の接続ピースが平行移動して前記凹部を閉鎖したとき、前記第２の接続ピースに固定された前記少なくとも１つの電気接点が、前記凹部中へ挿入された前記脈管内装置の前記少なくとも１つの電気コネクタに電気的に結合され」に相当する。
カ
（ア）引用発明の「通信ケーブル」は、本願発明７の「通信ケーブル」に相当する。
（イ）引用発明の「コネクタ３００」は、本願発明７の「コネクタ」に相当する。
（ウ）引用発明の「コネクタ３００により受容された脈管内の装置１０２と同じ方向に、通信ケーブルがコネクタ３００から出てくる」は、本願発明７の「通信ケーブルが、前記コネクタから、」「前記脈管内装置の長手方向軸と同軸又は平行に延びる」のうち、「通信ケーブルが、前記コネクタから、」「前記脈管内装置の長手方向軸と」「平行に延びる」に相当するといえる。
（エ）上記（ア）ないし（ウ）を踏まえると、引用発明の「コネクタ３００により受容された脈管内の装置１０２と同じ方向に、通信ケーブルがコネクタ３００から出てくる」と、本願発明７の「通信ケーブルが、前記コネクタから、前記脈管内装置とは逆方向に、前記脈管内装置の長手方向軸と同軸又は平行に延びる」とは、「通信ケーブルが、前記コネクタから、前記脈管内装置の長手方向軸と平行に延びる」で共通する。
キ
（ア）引用発明の「コネクタ３００」は、「脈管内の装置１０２」を「上部及び下部構成要素３０２及び３０４の間に維持」し、「別の構成要素との間でシグナルを運ぶように設計される通信ケーブルを含」んでいる。
（イ）上記（ア）を踏まえると、引用発明の「コネクタ３００」は、本願発明７の「脈管内システム用のコネクタ」に相当するといえる。
（２）そうすると、本願発明７と引用発明とは、
「　凹部及び第１の開口を含む第１の接続ピースと、
　第２の開口を含み、開放位置と閉鎖位置との間で前記第１の接続ピースに対して平行移動可能である第２の接続ピースであって、前記閉鎖位置は前記第２の接続ピースにより前記凹部が閉鎖される位置であり、前記開放位置は前記凹部が前記第２の接続ピースから開放される位置である、前記第２の接続ピースと、
　脈管内装置の少なくとも１つの電気コネクタとインターフェイスする、前記第２の接続ピースに固定された少なくとも１つの電気接点とを含み、
　前記開放位置において、前記第１の開口と前記凹部との間に前記第２の開口があるように前記第１の接続ピースの前記第１の開口が前記第２の接続ピースの前記第２の開口と少なくとも部分的に位置合わせされて前記凹部が開放されることにより、前記脈管内装置が前記凹部に受け入れられて、前記第１の接続ピースの前記凹部中への前記脈管内装置の前記少なくとも１つの電気コネクタの挿入を容易にし、
　前記閉鎖位置において、前記第２の接続ピースが平行移動して前記凹部を閉鎖したとき、前記第２の接続ピースに固定された前記少なくとも１つの電気接点が、前記凹部中へ挿入された前記脈管内装置の前記少なくとも１つの電気コネクタに電気的に結合され、通信ケーブルが、前記コネクタから、前記脈管内装置とは逆方向に、前記脈管内装置の長手方向軸と同軸又は平行に延びる、脈管内システム用のコネクタ。」
の発明である点で一致し、次の２点において相違する。
（相違点１）
　開放位置において第１の接続ピースが含む凹部が開放されて、脈管内装置が前記凹部に受け入れられるようにするための構成について、本願発明７においては、「第２の接続ピース」が「第２の開口を含み」、「前記第１の開口と前記凹部との間に前記第２の開口があるように前記第１の接続ピースの前記第１の開口が前記第２の接続ピースの前記第２の開口と少なくとも部分的に位置合わせされて前記凹部が開放される」のに対し、引用発明においては、「上部構成要素３０２」は「下部構成要素３０４の凹部３３２」と位置合わせされる「開口」を含んでおらず、「上部構成要素３０２が開口ポジションまで退避したとき、下部構成要素３０４内の凹部３３２が晒され」る点。
（相違点２）
　通信ケーブルがコネクタから延びる方向について、本願発明７においては、「前記脈管内装置とは逆方向」に特定されているのに対し、引用発明においては、そのような特定はされていない点。
（３）判断
ア　上記相違点１について検討する。
（ア）引用発明は、「上部構成要素３０２が開口ポジションまで退避したとき、下部構成要素３０４内の凹部３３２が晒され」、「脈管内の装置１０２を側方ローディング方式で受け取る」ことができるものであるから、「上部構成要素３０２」に「脈管内の装置１０２」を受け取るための「開口」を設けることを動機付ける事情があるとはいえない。
（イ）また、引用発明の「上部構成要素３０２」に「脈管内の装置１０２」を受け取るための「開口」を設けることが、設計事項であるとも認められない。
（ウ）仮に、引用発明の「上部構成要素３０２」に「脈管内の装置１０２」を受け取るための「開口」を設けたとしても、「上部構成要素３０２」は「下部構成要素３０４」の上側に配置されていることから、当該「開口」を、下部構成要素３０４が備えているといえる「開口」と下部構成要素３０４が備えている凹部３３２との間に位置合わせすることはできない。
（エ）そうすると、引用発明において、上記相違点１に係る本願発明７の発明特定事項を備えたものとすることは、本願の発明の属する技術の分野における通常の知識を有する者（以下「当業者」という。）といえども容易に想到し得たこととはいえない。
イ　したがって、上記相違点２について判断するまでもなく、本願発明７は、引用発明に基づいて、当業者が容易に発明をすることができたものであるとはいえない。
２　本願発明１について
　本願発明１は脈管内装置とコネクタとを備えるシステムに係る発明であるところ、本願発明１に係る「コネクタ」は、本願発明７と実質的に同一であって、本願発明７の「第２の接続ピース」が「第２の開口を含み」、「前記第１の開口と前記凹部との間に前記第２の開口があるように前記第１の接続ピースの前記第１の開口が前記第２の接続ピースの前記第２の開口と少なくとも部分的に位置合わせされて前記凹部が開放される」と同一の構成（以下「相違点１に係る構成」という。）を備えるものであるから、本願発明１は、本願発明７と同じ理由により、引用発明に基づいて当業者が容易に発明をすることができたものであるとはいえない。
３　本願発明２ないし６及び１２ないし１４について
　本願発明１を減縮した発明である本願発明２ないし６及び１２ないし１４も、本願発明７の「相違点１に係る構成」と同一の構成を備えるものであるから、本願発明２ないし６及び１２ないし１４は、本願発明７と同じ理由により、引用発明に基づいて当業者が容易に発明をすることができたものであるとはいえない。
４　本願発明８ないし１１及び１５について
　本願発明７を減縮した発明である本願発明８ないし１１及び１５も、本願発明７の「相違点１に係る構成」と同一の構成を備えるものであるから、本願発明８ないし１１及び１５は、本願発明７と同じ理由により、引用発明に基づいて当業者が容易に発明をすることができたものであるとはいえない。
第５　原査定の概要及び原査定についての判断
１　原査定（令和元年１１月１２日付け拒絶査定）の概要は次のとおりである。
（１）本願の請求項１ないし１７に係る発明は、以下の引用文献１に記載された発明であるから、特許法第２９条第１項第３号に該当し、特許を受けることができない。
（２）本願の請求項１ないし１７に係る発明は、以下の引用文献１に記載された発明に基づいて、当業者が容易に発明をすることができたものであるから、特許法第２９条第２項の規定により特許を受けることができない。
引用文献等一覧
引用文献１：国際公開第２０１４／００５００７号
２　当審の判断
（１）令和２年１２月２１日にされた手続補正（以下「本件補正」という。）により補正された請求項１ないし１５（補正後の請求項の数は、「１５」である。）は、それぞれ「第２の接続ピース」が「第２の開口を含み」、「前記第１の開口と前記凹部との間に前記第２の開口があるように前記第１の接続ピースの前記第１の開口が前記第２の接続ピースの前記第２の開口と少なくとも部分的に位置合わせされて前記凹部が開放される」という事項（以下「相違点１に係る事項」という。）を有するものとなっている。
（２）そして、上記第４で検討したとおり、本願発明１ないし１５は少なくとも上記相違点１において引用発明と相違し、上記相違点１は実質的な相違点であるから、本願発明１ないし１５は、原査定において引用された引用文献１に記載された発明ではない。
（３）また、上記第４で検討したとおり、本願発明１ないし１５は、原査定において引用された引用文献１に記載された発明に基づいて、当業者が容易に発明をすることができたものとはいえない。
（４）したがって、原査定を維持することはできない。
第６　当審拒絶理由について
１　当審拒絶理由では、特許法第３６条第６項第２号（明確性）について、概略以下の不備を通知した。
（１）「凹部」及び「開口」について、「凹部を含む第１の接続ピース」、「開口を含み、開放位置と閉鎖位置との間で前記第１の接続ピースに対して平行移動可能である第２の接続ピース」及び「前記開放位置において・・・前記第１の接続ピースの前記凹部が前記第２の接続ピースの前記開口上に位置付けられ」と特定されているが、「第１の接続ピース」における「凹部」の配置及び「第２の接続ピース」における「開口」の配置が特定されていないとともに、上下の定義がされていないことから、「第１の接続ピース」及び「第２の接続ピース」並びにそれらを有する「コネクタ」の構造が不明である。
（２）「開放位置」及び「閉鎖位置」が、何の「開放」及び「閉鎖」位置を表すのかが不明である。
（３）「コネクタ」が「前記脈管内装置の前記少なくとも１つの電気コネクタとインターフェイスする少なくとも１つの電気接点」を有することが特定されているが、「電気接点」と「第１の接続ピース」及び「第２の接続ピース」との関係が特定されていないことから、「コネクタ」の構造が不明である。
（４）「前記閉鎖位置において、前記脈管内装置が前記第１の接続ピースと前記第２の接続ピースとの間に受け入れられたとき」と特定されているが、「前記第１の接続ピースと前記第２の接続ピースとの間」が意味する位置が不明である。
（５）「前記長手方向軸及び前記横断方向に直交する方向に見たときには、通信ケーブルが、前記コネクタから、前記脈管内装置の長手方向軸と同軸方向に延びる」と特定されているが、
ア　「通信ケーブルが・・・前記脈管内装置の長手方向軸と同軸方向に延びる」が、通信ケーブルと脈管内装置とが、（ア）同軸であることを意味するのか、（イ）平行であることを意味するのか、（ウ）その他の位置関係にあることを意味するのか、が判然としない。
イ　通信ケーブルが、コネクタに対して脈管内装置と同方向に延びるのか、逆方向に延びるのかが判然としない。
２　当審の判断
（１）本件補正により「前記開放位置において、前記第１の開口と前記凹部との間に前記第２の開口があるように前記第１の接続ピースの前記第１の開口が前記第２の接続ピースの前記第２の開口と少なくとも部分的に位置合わせされて前記凹部が開放される」と補正された結果、上記１（１）の不備は解消した。
（２）本件補正により「前記閉鎖位置は前記第２の接続ピースにより前記凹部が閉鎖される位置であり、前記開放位置は前記凹部が前記第２の接続ピースから開放される位置である」と補正された結果、上記１（２）の不備は解消した。
（３）本件補正により「前記脈管内装置の前記少なくとも１つの電気コネクタとインターフェイスする、前記第２の接続ピースに固定された少なくとも１つの電気接点」と補正された結果、上記１（３）の不備は解消した。
（４）本件補正により「前記凹部中へ挿入された前記脈管内装置」と補正された結果、上記１（４）の不備は解消した。
（５）本件補正により「通信ケーブルが、前記コネクタから、前記脈管内装置とは逆方向に、前記脈管内装置の長手方向軸と同軸又は平行に延びる」と補正された結果、上記１（５）の不備は解消した。
（６）したがって、当審拒絶理由は解消した。
第７　むすび
　以上のとおりであるから、原査定の理由及び当審拒絶理由によっては、本願を拒絶することはできない。
　また、他に本願を拒絶すべき理由を発見しない。
　よって、結論のとおり審決する。